(57)【要約】  フィルム状材料を絞り加工する場合のしわの発生を抑制、防止することが可能な、形状精度の高い成形体を得ることができる絞り加工装置を提供する。  パンチ（１１）と、ダイ（１２）と、絞り加工を行なうために第１の押圧力（Ｆ１）を発生させる第１のアクチュエータ（１０）と、ダイの凹部の周囲領域において、フィルム状材料（１）を押圧するために第２の押圧力（Ｆ２）を発生させる第２のアクチュエータ（１４）と、ダイの凹部の周囲領域において、フィルム状材料をダイに向かって押圧することにより、フィルム状材料へのしわの発生を抑制するしわ押さえ部材（１３）と、第２の押圧力をしわ押さえ部材に伝達するための押圧力伝達プレート（１５）と、しわ押さえ部材と押圧力伝達プレートの間に配設され、かつ、第１のアクチュエータの押圧方向から見て、ダイの凹部の周囲領域に対応する領域に複数配設される押圧位置調整ブロック（２０）とを備えた構成とする。
2015045797.tif 000002
【特許請求の範囲】
【請求項１】
フィルム状材料を、絞り加工により、所定の形状に形成するために用いられる絞り加工装置であって、
パンチと、
前記パンチの一部が入り込む凹部を備えたダイと、
前記パンチおよび前記ダイを用いて絞り加工を行なうために第１の押圧力を発生させる第１のアクチュエータと、
前記ダイの前記凹部の周囲領域において、前記フィルム状材料を押圧するために第２の押圧力を発生させる第２のアクチュエータと、
前記フィルム状材料を前記ダイに向かって前記第２の押圧力で押圧することにより、前記フィルム状材料のしわの発生を抑制するしわ押さえ部材と、
前記第２の押圧力を前記しわ押さえ部材に伝達するための押圧力伝達プレートと、
前記しわ押さえ部材と前記押圧力伝達プレートの間に配設され、かつ、前記第１のアクチュエータの押圧方向から見て、前記ダイの前記凹部の周囲領域に対応する領域に複数配設される押圧位置調整ブロックと、
を備えることを特徴とする絞り加工装置。
【請求項２】
前記押圧位置調整ブロックが、前記しわ押さえ部材および前記押圧力伝達プレートの少なくとも一方に、着脱可能に取り付けられるように構成されていることを特徴とする請求項１記載の絞り加工装置。
【請求項３】
前記押圧位置調整ブロックが、螺合の方法により、前記しわ押さえ部材および前記押圧力伝達プレートの少なくとも一方に着脱可能に取り付けられるように構成されていることを特徴とする請求項２記載の絞り加工装置。
【請求項４】
前記押圧位置調整ブロックの形状は、前記第１のアクチュエータの押圧方向から見たとき、円形、正方形、長方形のいずれかであることを特徴とする請求項１〜３のいずれかに記載の絞り加工装置。
【請求項５】
前記第１のアクチュエータの押圧方向から見たときに、前記第２のアクチュエータが、前記ダイの前記凹部を囲むように複数配設されていることを特徴とする請求項１〜４のいずれかに記載の絞り加工装置。
【請求項６】
前記パンチと前記ダイとにより絞り加工が行われる成形加工部を複数備えていることを特徴とする請求項１〜５のいずれかに記載の絞り加工装置。
【請求項７】
前記第１のアクチュエータの押圧方向から見た場合における前記成形加工部の形状が、凹部、凸部、曲折部のいずれかを有するものであることを特徴とする請求項１〜６のいずれかに記載の絞り加工装置。
【請求項８】
前記第２のアクチュエータが、前記パンチを保持するパンチホルダーよりも上側に着脱可能に配設されていることを特徴とする請求項１〜７のいずれかに記載の絞り加工装置。
【発明の詳細な説明】
【技術分野】
【０００１】
本発明は、絞り加工装置に関し、詳しくは、リチウムイオン二次電池などに代表される蓄電デバイス用の外装体（ラミネートケース）を、ラミネートフィルムなどのフィルム状材料を絞り加工して製造する場合などに用いられる絞り加工装置に関する。
【背景技術】
【０００２】
リチウムイオン二次電池などの蓄電デバイスの外層体として用いられるラミネートケースは、例えば、熱可塑性樹脂層間にアルミニウム箔が挟み込まれたラミネートフィルムを絞り加工（プレス加工）することにより形成された成形体を熱溶着する工程を経て製造されている。【０００３】
ところで、この絞り加工の方法としては、例えば、特許文献１に記載されているような方法がある。
すなわち、特許文献１には、図９に示すように、プレス成形金型の凹側であるダイ１０２と、しわ押さえ１０５との間にフィルム状材料Ｓを挟み込み、その中央部のダイ１０２の凹部１０２ａに対しパンチ１０１を突入させ、挟み込み部分での滑りによりフィルム状材料Ｓがダイ１０２の凹部１０２ａへ引き込まれることによって、フィルム状材料Ｓが立体的に成形されるようにした方法が示されている。【０００４】
ところで、フィルム状材料Ｓがダイ１０２の凹部１０２ａに引き込まれる状態が進行すると、それに伴って、ダイ１０２の凹部１０２ａ周辺のフィルム状材料Ｓが凹部１０２ａに向かって寄せ集められ、パンチ１０１が突入するダイ１０２の凹部１０２ａ周辺には、フィルム状材料Ｓが波打つことにより形成されるしわが発生しやすい。【０００５】
そのため、絞り加工の成形の良否は、ダイ１０２の凹部１０２ａ周辺の、フィルム状材料Ｓのしわが発生しやすい領域を押さえるために加える圧力の大きさや、圧力分布に大きな影響を受ける。【０００６】
そして、特許文献１では、しわ押さえの圧力付与手段として空気圧シリンダー１０３を用い、ロッド１３０、ベースプレート１１０を通過する複数本の支持ピン１０４ａを有する支持板１０４を介して、しわ押さえ部材１０５を、フィルム状材料Ｓのしわの発生しやすい領域に押し付けることで、全体に均等なしわ押さえ圧を加えることを可能にし、かつ、空気圧を利用することにより、しわ押さえ圧を容易に調整できるようにして、しわの少ない加工を行うことができるようにしている。【０００７】
また、特許文献２には、成形加工の対象である板材を成形加工する際に、成形形状や寸法によって異なる最適な加圧位置や圧力分布に対し、加圧点を調整することを可能にするため、図１０に示すように、パンチ２０９の近傍の調整領域の複数の位置に押圧用のシリンダー（アクチュエータ）２０５を配置する方法が提案されている。【０００８】
しかしながら、上記特許文献１および２の場合、以下に説明するような問題点がある。
上記特許文献１の方法の場合、フィルム状材料の成形形状や寸法によって、最適なしわ押さえ圧の分布が異なり、調整を要する。これに対し、特許文献１の構造の場合、支持ピンを介してしわ押さえ圧を加えているので、支持ピンの位置を変えることで加圧位置を変更し、圧力分布を調整することは可能ではあるが、ベースプレート１１０の下に支持ピン１０４ａが配設されているため、支持ピン１０４ａの位置変更は困難であり、また、パンチやダイなどを含む金型の乗せ降ろし作業も容易ではない。【０００９】
したがって、特許文献１の方法では、しわ押さえ圧を最適に調整して、形状精度が高く、しわのない成形体を得ることは困難であるのが実情である。
また、支持ピンの取付位置の自由度を高めるため、ベースプレートに、支持ピンを貫通させるための貫通孔を予め複数加工しておくことが考えられるが、その場合には、ベースプレートの剛性が低下するという問題点がある。【００１０】
また、特許文献２の方法の場合、上述のように、しわ押さえの圧力分布を調整する機構を有してはいるが、所定の領域を押圧するためのシリンダー（アクチュエータ）２０５の寸法上の制約などにより、シリンダー２０５の配設数には制約がある。また、整形すべき材料の成形形状や寸法によっては、必要な箇所にシリンダー２０５を配することができず、しわ押さえの圧力分布を十分に調整できない場合が生じる。すなわち、成型対象物の押圧したい部分を真上から押圧できない場合や、そのため必要な位置にシリンダー２０５を配置すること自体ができない場合がある。【００１１】
また、シリンダー（アクチュエータ）を金型と一体的に配置するようにしているため、金型が大型化し、構造が複雑になるという問題点がある。
【先行技術文献】
【特許文献】
【００１２】
【特許文献１】特開２００８−２１２９９５号公報
【特許文献２】特開２００８−２０７２５１号公報
【発明の概要】
【発明が解決しようとする課題】
【００１３】
本発明は、上記課題を解決するものであり、設備の大型化や、大幅なコストの増大を招いたりすることなく、フィルム状材料を絞り加工する際に、しわの発生を抑制、防止して、形状精度の高い成形体を得ることが可能な絞り加工装置を提供することを目的とする。
【課題を解決するための手段】
【００１４】
上記目的を達成するために、本発明の絞り加工装置は、
フィルム状材料を、絞り加工により、所定の形状に形成するために用いられる絞り加工装置であって、
パンチと、
前記パンチの一部が入り込む凹部を備えたダイと、
前記パンチおよび前記ダイを用いて絞り加工を行なうために第１の押圧力を発生させる第１のアクチュエータと、
前記ダイの前記凹部の周囲領域において、前記フィルム状材料を押圧するために第２の押圧力を発生させる第２のアクチュエータと、
前記フィルム状材料を前記ダイに向かって前記第２の押圧力で押圧することにより、前記フィルム状材料のしわの発生を抑制するしわ押さえ部材と、
前記第２の押圧力を前記しわ押さえ部材に伝達するための押圧力伝達プレートと、
前記しわ押さえ部材と前記押圧力伝達プレートの間に配設され、かつ、前記第１のアクチュエータの押圧方向から見て、前記ダイの前記凹部の周囲領域に対応する領域に複数配設される押圧位置調整ブロックと、
を備えることを特徴としている。【００１５】
また、本発明の絞り加工装置においては、前記押圧位置調整ブロックが、前記しわ押さえ部材および前記押圧力伝達プレートの少なくとも一方に、着脱可能に取り付けられるように構成されていることが好ましい。【００１６】
上記構成とすることにより、アクチュエータの配設位置などによる制約を受けずに、しわが発生しやすく、絞り加工で重要なダイの凹部周囲領域、すなわち、大きな押圧力を加えたい位置に押圧位置調整ブロックを配置することが可能になり、しわの発生を抑制して、精度の高い絞り加工を行うことが可能な絞り加工装置を提供することが可能になる。【００１７】
また、前記押圧位置調整ブロックが、螺合の方法により、前記しわ押さえ部材および前記押圧力伝達プレートの少なくとも一方に着脱可能に取り付けられるように構成されていることが好ましい。【００１８】
螺合の方法で押圧位置調整ブロックを取り付けることにより、押圧位置調整ブロックを容易かつ確実に、着脱可能に任意の位置の配設することが可能になり、本発明をより実効あらしめることができる。【００１９】
また、前記押圧位置調整ブロックの形状は、前記第１のアクチュエータの押圧方向から見たとき、円形、正方形、長方形のいずれかであることが好ましい。【００２０】
押圧位置調整ブロックの形状には特別の制約はないが、第１のアクチュエータの押圧方向から見た形状を、円形、正方形、長方形のいずれかとすることにより、押圧位置調整ブロックが配設された領域において、しわ押さえ部材を介してフィルム状材料に確実に大きな押圧力を加えることが可能になり、本発明をより実効あらしめることができる。【００２１】
また、前記第１のアクチュエータの押圧方向から見たときに、前記第２のアクチュエータが、前記ダイの前記凹部を囲むように複数配設されていることが好ましい。【００２２】
第１のアクチュエータの押圧方向から見たときに、第２のアクチュエータが、ダイの凹部を囲むように複数配設された構成とすることにより、押圧位置調整ブロックに加える荷重（しわ押さえ力）を、複数配設された第２のアクチュエータごとに（部分的に）設定することが可能になり、より精度よくしわの発生を防止しつつ絞り加工を行うことが可能になる。【００２３】
また、本発明の絞り加工装置においては、前記パンチと前記ダイとにより絞り加工が行われる成形加工部を複数備えた構成とすることができる。【００２４】
成形加工部を複数備えた構成とした場合、フィルム状材料の加工時の挙動が複雑に変化して、しわが発生しやすくなる場合があるが、本発明によれば、そのような場合にも、フィルム状材料のしわの生じやすい領域を確実に押圧してしわの発生を抑制することが可能になり、精度の高い絞り加工を行うことができる。【００２５】
また、本発明の絞り加工装置は、前記第１のアクチュエータの押圧方向から見た場合における前記成形加工部の形状が、凹部、凸部、曲折部のいずれかを有するものである場合に特に有意義である。【００２６】
成形加工部の形状が、凹部、凸部、曲折部などを有するものである場合、しわがより発生しやすくなるが、本発明によれば、そのような場合にも、フィルム状材料のしわの生じやすい領域を確実に押圧して、しわの発生を抑制して、精度の高い絞り加工を行うことが可能になる。【００２７】
また、前記第２のアクチュエータが、前記パンチを保持するパンチホルダーよりも上側に着脱可能に配設されていることが好ましい。【００２８】
第２のアクチュエータが、パンチを保持するパンチホルダーよりも上側に着脱可能に配設された構成とすることにより、押圧位置の調整などに伴うパンチやダイなどの金型構成部材の乗せ降ろしを容易にして、押圧位置の調整を効率よく行うことが可能になる。また、汎用のプレス設備を適用することが可能になる点でも有利である。
【発明の効果】
【００２９】
本発明の絞り加工装置は、上述のように、パンチおよびダイを用いて絞り加工を行なうために第１のアクチュエータと、ダイの凹部の周囲領域において、フィルム状材料を押圧するために第２の押圧力を発生させる第２のアクチュエータと、フィルム状材料をダイに向かって第２の押圧力で押圧することにより、フィルム状材料のしわの発生を抑制するしわ押さえ部材と、第２の押圧力をしわ押さえ部材に伝達するための押圧力伝達プレートと、しわ押さえ部材と押圧力伝達プレートの間に配設され、かつ、第１のアクチュエータの押圧方向から見て、ダイの凹部の周囲領域に対応する領域に複数配設される押圧位置調整ブロックとを備えているので、押圧位置調整ブロックを、しわの生じやすい所定の位置に配設して、フィルム状材料の意図する位置（しわの生じやすい位置）に、上方から大きな押圧力（第２の押圧力）を加えることが可能になる。【００３０】
したがって、本発明によれば、フィルム状材料の所定の領域が確実に押圧されるように、必要に応じた圧力分布の調整を容易かつ確実に行うことが可能になり、しわを発生させることなく、精度の高い絞り加工を行うことが可能な絞り加工装置を提供することができる。
【図面の簡単な説明】
【００３１】
【図１】本発明の実施形態（実施形態１）にかかる絞り加工装置の構成を示す正面断面図である。
【図２】本発明の絞り加工装置を用いて成形された成形体（ラミネートフィルム成形体）を熱溶着することにより形成されたラミネートケース用いたリチウムイオン二次電池を示す図である。
【図３】本発明の絞り加工装置を構成するしわ押さえ部材を示す図であって、（ａ）は斜視図、（ｂ）は平面図である。
【図４】本発明の絞り加工装置を構成する押圧位置調整ブロックを示す図であって、（ａ）は正面断面図、（ｂ）は平面図である。
【図５】本発明の実施形態（実施形態１）にかかる絞り加工装置を用いてフィルム状材料の絞り加工を行う方法を説明する図である。
【図６】変形例にかかるしわ押さえ部材の構成を示す平面図である。
【図７】他の変形例にかかるしわ押さえ部材の構成を示す平面図である。
【図８】さらに他の変形例にかかる押圧位置調整ブロックの構成を示す平面図である。
【図９】従来の絞り加工の方法（電池ケースの成形方法）を示す図である。
【図１０】スタンピング用プレス内での板押え力を調整するためのシステムにおいて用いられている板押さえ保持ピースを示す図である。
【発明を実施するための形態】
【００３２】
以下に本発明の実施形態を示して、本発明の特徴とするところをさらに詳しく説明する。
【００３３】
［実施形態１］
図１は本発明の実施形態（実施形態１）にかかる絞り加工装置（絞り金型）の構成を示す図である。
【００３４】
また図２は、ラミネートフィルムを絞り加工して形成した、ラミネートフィルム成形体５１ａ，５１ｂを熱溶着することにより形成されたラミネートケース５１内に、特に図示しない電池要素が電解液とともに収容され、電極端子５２ａ，５２ｂがラミネートケース５１から外部に引き出された構造を有するリチウムイオン二次電池５０を示す図である。
【００３５】
そして、この実施形態１にかかる絞り加工装置Ａは、図２に示すような、ラミネートフィルム成形体５１ａ，５１ｂを成形するために用いられる絞り加工装置（絞り金型）である。
【００３６】
なお、図１に示す、この実施形態１にかかる絞り加工装置Ａは、フィルム状材料（この実施形態１ではラミネートフィルム）１を絞り加工して、上記ラミネートケース５１を構成する一対のラミネートフィルム成形体５１ａ，５１ｂ（図２）を形成するために用いられる絞り加工装置である。
【００３７】
この絞り加工装置Ａは、絞り加工を行うためのパンチ１１と、このパンチ１１の一部（下端部）１１ａが入り込む凹部１２ａを備えたダイ１２とを備えている。パンチ１１は、第１のアクチュエータ１０により上下方向に駆動する。第１のアクチュエータ１０は、図示しないベース板に固定されている。この第１のアクチュエータ１０の駆動により、絞り加工を行なうための第１の押圧力Ｆ１が発生する。なお、このパンチ１１とダイ１２がフィルム状材料１を所定の形状に成形（絞り加工）する成形加工部を形成する。
【００３８】
また、絞り加工装置Ａは、ダイ１２の凹部１２ａの周囲領域において、フィルム状材料（ラミネートフィルム）１をダイ１２に向かって押圧することにより、フィルム状材料１へのしわの発生を抑制するしわ押さえ部材１３を備えている。しわ押さえ部材１３は、ダイ１２の凹部１２ａの周囲領域に対向して配置される。絞り加工装置Ａでは、フィルム状材料１をダイ１２に向かって押圧するために、後述する第２の押圧力Ｆ２が発生させられる。
【００３９】
なお、しわ押さえ部材１３には、パンチ１１が通過する貫通孔１３ａが形成され、押圧力伝達プレート１５にも、パンチ１１が通過する貫通孔１５ａが形成されている。
【００４０】
そして、この加工装置Ａは、フィルム状材料１を押圧する第２の押圧力Ｆ２を発生させる第２のアクチュエータ１４と、第２の押圧力Ｆ２をしわ押さえ部材１３に伝達するための押圧力伝達プレート１５と、しわ押さえ部材１３と押圧力伝達プレート１５の間に配設される押圧位置調整ブロック２０とを備えている。
【００４１】
すなわち、第２のアクチュエータ１４による第２の押圧力Ｆ２は、ロッド１６を介して押圧力伝達プレート１５に伝えられ、さらに、押圧力伝達プレート１５から押圧位置調整ブロック２０およびしわ押さえ部材１３を介してフィルム状材料１に伝えられるように構成されている。第１の押圧力Ｆ１および第２の押圧力Ｆ２は、Ｆ１＞（Ｆ２の合計値）、という関係となるように設定される。
【００４２】
押圧力調整部ブロック２０は、しわ押さえ部材１３に取り付けられており、具体的には第１のアクチュエータ１０の押圧方向から見て、ダイ１２の凹部１２ａの周囲領域に対応する領域（すなわち、しわ押さえ部材１３の、パンチ１１が通過する貫通孔１３ａの周囲領域）における所定の複数の位置に着脱可能に取り付けられている。
【００４３】
具体的には、この実施形態１では、押圧位置調整ブロック２０として、図４（ａ），（ｂ）に示すように、第１のアクチュエータ１０の押圧方向から見た形状（平面形状）が円形に形成された形状の部材が用いられており、意図する位置（すなわち、所定の複数の位置に設けられたねじ穴２２のうちの所定のねじ穴）に、ねじ２１を螺合させることにより、着脱可能に取り付けられている。
【００４４】
これにより、押圧位置調整ブロック２０が配設された位置およびその近傍領域においては、しわ押さえ部材１３を介して、他の領域よりも大きな押圧力が、ダイ１２の凹部１２ａの周囲領域に位置するフィルム状材料１に加わり、しわの発生が抑制されることになる。
【００４５】
なお、パンチ１１、ダイ１２、しわ押さえ部材１３、押圧位置調整ブロック２０などの構成材料としては、例えば、金型材料として広く用いられている焼入鋼を用いることができるが、これに限られるものではない。
【００４６】
また、この実施形態１の絞り加工装置Ａにおいては、ダイ１２が下側ベース部材３１上に配設されており、第２のアクチュエータ１４が上側ベース部材３２の上側から上側ベース部材３２を貫通するように配設されている。また、パンチ１１は、パンチ１１を保持するためのパンチホルダー１１ｂを介して、上側ベース部材３２上に取り付けられている。
【００４７】
なお、この実施形態１では、押圧位置調整ブロック２０をしわ押さえ部材１３に取り付けるようにしているが、押圧位置調整ブロック２０はしわ押さえ部材１３ではなくて、押圧力伝達プレート１５の、所定の複数個の位置のうちの任意の位置に着脱可能に取り付けることができるように構成することも可能である。
【００４８】
また、場合によっては、複数の押圧位置調整ブロック２０のうちの一部をしわ押さえ部材１３に取り付け、他を押圧力伝達プレート１５に取り付けるように構成することも可能である。
【００４９】
押圧位置調整ブロック２０の取り付け方法についても、上述のような螺合の方法に限らず、他の方法により取り付けることも可能である。
【００５０】
さらに、この実施形態１の絞り加工装置Ａでは、第１のアクチュエータ１０の押圧方向から見たときに、第２のアクチュエータ１４が、ダイ１２の凹部１２ａを囲むように複数配設されている。これにより、押圧位置調整ブロック２０に加える荷重（しわ押さえ力）を、第２のアクチュエータ１４ごとに設定して、より精度よくしわの発生を防止しつつ、精度の高い絞り加工を行うことができる。
【００５１】
また、第２のアクチュエータ１４は、パンチ１１を保持するパンチホルダー１１ｂよりも上側に着脱可能に配設されている。これにより、押圧位置の調整などに伴うパンチ１１やダイ１２などの金型構成部材の乗せ降ろしが容易で、押圧位置の調整を効率よく行うことができる。
【００５２】
上述のように構成された絞り加工装置Ａを用いて絞り加工を行うにあたっては、図１に示したパンチ１１とダイ１２が係合していない「金型開」の状態から、図５に示すように、パンチ１１とダイ１２が係合し、フィルム状材料１が絞り加工される「金型閉」の状態となるように、パンチ１１を降下させるともに、第２のアクチュエータ１４により、押圧力伝達プレート１５を押圧し、押圧位置調整ブロック２０を介して、しわ押さえ部材１３に第２の押圧力Ｆ２を伝達し、しわ押さえ部材１３により、ダイ１２の凹部１２ａの周囲領域に位置するフィルム状材料１を押圧する。
【００５３】
図５に示すように、絞り加工の際に、フィルム材料１の端部がダイ１２の凹部１２ａ側に移動する。このとき、フィルム材料１の周縁において、しわが発生しやすくなる。しかし、実施形態１の絞り加工装置Ａでは、フィルム状材料１の、押圧位置調整ブロック２０が配設されている領域に対応する領域とその近傍において、しわ押さえ部材１３を介して、フィルム状材料１に大きな押圧力が加わることから、しわの生じやすい領域に押圧位置調整ブロック２０を配置して絞り加工を行うことにより、しわの発生を抑制して、精度の高い絞り加工を行うことができる。
【００５４】
この実施形態１の絞り加工装置Ａにおいては、押圧位置調整ブロック２０がしわ押さえ部材１３の所定の位置に、着脱可能に取り付けられているため、フィルム状材料１の成形形状に応じてしわの発生を抑制するために大きな押圧力を加えるべき領域に押圧位置調整ブロック２０を取り付けることが可能で、圧力分布をしわの発生を抑制するのに必要な態様に、容易かつ確実に調整することができる。
【００５５】
また、この実施形態１の絞り加工装置Ａでは、しわ押さえ部材１３への押圧位置調整ブロック２０の配設位置を調整することにより、強く押圧したい位置を調整するようにしているので、第２のアクチュエータ１４の位置を変えて意図する位置を押圧するようにした場合のように、第２のアクチュエータ１４の大きさや形状による押圧位置の制約がなく、押圧位置調整ブロック２０の配設位置を調整するだけで、意図する領域を、真上から確実に押圧することが可能で、フィルム状材料１の形状や寸法、成形形状などに関わらず、しわの発生を抑制して、精度の高い絞り加工を行うことができる。
【００５６】
また、この実施形態１の絞り加工装置Ａでは、しわ押さえ力を発生する第２のアクチュエータ１４が、金型構成部材の上側に、着脱可能に配設されているので、押圧位置の調整などに伴うパンチ１１やダイ１２などの部材の乗せ降ろしが容易で、その点でも押圧位置の調整を効率よく行うことができる。
【００５７】
＜変形例１＞
上記実施形態１では、パンチ１１とダイ１２とにより絞り加工が行われる成形加工部が単一で、ダイ１２の凹部１２ａ、しわ押さえ部材１３のパンチ１１が通過する貫通孔１３ａがそれぞれ一つである場合について説明したが、本発明の絞り加工装置は、パンチ１１とダイ１２とにより絞り加工が行われる成形加工部が複数である場合にも適用することができる。
【００５８】
図６は、成形加工部が複数（４つ）である場合に用いられるしわ押さえ部材１３を示す図である。このしわ押さえ部材１３には、パンチが通過する貫通孔１３ａが成形加工部の数に対応して４つ形成されている。そして、各貫通孔１３ａの周囲領域、すなわち、ダイ１２の凹部１２ａ（図１参照）の周囲領域に対応する領域の所定の複数の位置には、平面形状が円形の押圧位置調整ブロック２０が着脱可能に配設されている。
【００５９】
このように、成形加工部を複数備えた構成とした場合、フィルム状材料の加工時の挙動が複雑に変化して、よりしわが発生しやすくなることが考えられるが、上述のような構成とすることにより、フィルム状材料のしわの生じやすい領域を確実に押圧して、しわの発生を抑制し、精度の高い絞り加工を行うことが可能になる。
【００６０】
＜変形例２＞
上記実施形態１および変形例１では、パンチ１１とダイ１２とにより絞り加工が行われる成形加工部の平面形状が方形である場合を例にとって説明したが、本発明の絞り加工装置は、パンチ１１とダイ１２とにより絞り加工が行われる成形加工部の形状が、凹部、凸部、曲折部のいずれかを有する異形状である場合にも適用することができる。
【００６１】
図７は、成形加工部が曲折部を有する形状である場合であって、成形加工部が複数（２つ）である場合におけるしわ押さえ部材１３の構成を示す図である。このしわ押さえ部材１３には、パンチが通過する貫通孔１３ａが成形加工部の数に対応して２つ形成されている。そして、各貫通孔１３ａの周囲領域、すなわち、ダイ１２の凹部１２ａ（図１参照）の周囲領域に対応する領域の、所定の複数の位置には、平面形状が円形の押圧位置調整ブロック２０が着脱可能に配設されている。
【００６２】
このように、成形加工部の形状が、凹部、凸部、曲折部などを有するものである場合、しわがより発生しやすくなることが考えられるが、上述のような構成とすることにより、フィルム状材料のしわの生じやすい領域を確実に押圧して、しわの発生を抑制し、精度の高い絞り加工を行うことができる。
【００６３】
＜変形例３＞
上記実施形態１および変形例１，２では、平面形状が円形の押圧位置調整ブロック２０を用いた場合について説明したが、押圧位置調整ブロック２０は、平面形状が円形の形状ものに限定されず、例えば、図８に示すように、平面形状が長方形の押圧位置調整ブロック２０を用いることも可能であり、その場合にも、フィルム状材料のしわの生じやすい領域を確実に押圧して、しわの発生を抑制することができる。
【００６４】
すなわち、本発明においては、押圧位置調整ブロックは、十分に押圧したい領域（しわの発生しやすい領域）に応じて、自由度の高い押圧位置調整ブロックの形状を採用することができる。
【００６５】
なお、押圧位置調整ブロックは、具体的には、正方形や、楕円形など、さらに他の平面形状を有するものとすることも可能である。
【００６６】
本発明は、上記実施形態および変形例に限定されるものではなく、さらにその他の点においても上記実施形態に限定されるものではなく、パンチやダイの形状は寸法、しわ押さえ部材や押圧力伝達プレートの具体的な構造や、構成材料などに関し、発明の範囲内において、種々の応用、変形を加えることが可能である。
【符号の説明】
【００６７】
Ａ                絞り加工装置
１                フィルム状材料（ラミネートフィルム）
１０              第１のアクチュエータ
１１              パンチ
１１ａ            パンチの下端部
１１ｂ            パンチホルダー
１２              ダイ
１２ａ            ダイの凹部
１３              しわ押さえ部材
１３ａ            しわ押さえ部材のパンチが通過する貫通孔
１４              第２のアクチュエータ
１５              押圧力伝達プレート
１５ａ            押圧力伝達プレートのパンチが通過する貫通孔
１６              ロッド
２０              押圧位置調整ブロック
２１              ねじ
２２              ねじ穴
３１              下側ベース金型
３２              上側ベース金型
５０              リチウムイオン二次電池
５１              ラミネートケース
５１ａ，５１ｂ    ラミネートフィルム成形体
５２ａ，５２ｂ    電極端子
Ｆ１              第１の押圧力
Ｆ２              第２の押圧力
【図１】
2015045797.tif 000003
【図２】
2015045797.tif 000004
【図３】
2015045797.tif 000005
【図４】
2015045797.tif 000006
【図５】
2015045797.tif 000007
【図６】
2015045797.tif 000008
【図７】
2015045797.tif 000009
【図８】
2015045797.tif 000010
【図９】
2015045797.tif 000011
【図１０】
2015045797.tif 000012
【国際調査報告】
2015045797.tif 000013
2015045797.tif 000014
2015045797.tif 000015
2015045797.tif 000016